(57)【要約】【課題】使用者が自由に設置状態を変化させても快適な画質で視聴できる画質制御機能を有した可動式スタンドを有する液晶テレビジョン受像機を提供する。【解決手段】可動式スタンドを有する液晶テレビジョン受像機であって、前記可動式スタンドの設置状態を検出する手段と、設置状態に応じた画質データを記憶する記憶手段と、前記検出手段が検出した前記検出状態に応じた画質データを前記記憶手段から取得し、取得した前記画質データに基づいて画質表示を行う表示制御手段を具備する。【選択図】図１
2005341105.tif 000002
【特許請求の範囲】
【請求項１】
可動式スタンドを有する液晶テレビジョン受像機であって、前記可動式スタンドの設置状態を検出する手段と、設置状態に応じた画質データを記憶する記憶手段と、前記検出手段が検出した前記検出状態に応じた画質データを前記記憶手段から取得し、取得した前記画質データに基づいて画質表示を行う表示制御手段を具備することを特徴とする液晶テレビジョン受像機。
【請求項２】
可動式スタンドを有する液晶テレビジョン受像機における画質調整方法であって、前記可動式スタンドの設置状態を検出するステップと、設置状態に応じた画質データを記憶する記憶ステップと、前記検出ステップが検出した前記検出状態に応じた画質データを前記記憶ステップから取得し、取得した前記画質データに基づいて画質表示を行う表示制御ステップを具備することを特徴とする画質調整方法。
【発明の詳細な説明】
【技術分野】
【０００１】
本発明は、液晶テレビジョン受像機に関し、更に詳しくは可動式スタンドによって任意に設置された画面角度に応じ、記憶装置から適切な画質データを読み出して画質調整を行い、液晶画面の視野角による画質の劣化を補って使用者に常に最適な画質でテレビ番組を視聴することを可能とするテレビジョン受像機、またはそれらに用いられるコンピュータープログラムに関するものである。
【０００２】
ここで視聴角度に適した画質データの情報は、視聴する画面角度に対して最適化された画質調整のデータであり、これらはテレビジョン受信機内部の記憶装置に記憶させる。
【背景技術】
【０００３】
通常、液晶テレビは画面を見る角度によって画質が大きく変わる特性を持ち、視聴する画面角度によっては画質が劣化して画面が非常に見えにくくなってしまう。そのため液晶テレビは設置状態を固定するような外形を持ち、その設置状態での視聴角度に最適化された画質にあらかじめ調整されている。従って液晶テレビにおいてはその設置方法はスタンド（画円垂直）型やフォトスタンド（画面斜め）型のようにあらかじめ固定されていた。
【０００４】
一方、設置状態は固定であるが、視聴角度を変更することができる液晶テレビジョン受像機は公知である（例えば、特許文献１参照）。
【特許文献１】実開昭６３−１８３５９３号公報
【発明の開示】
【発明が解決しようとする課題】
【０００５】
上述のように液晶テレビにおいてはあらかじめ決められた設置方法に合わせて画質が調整されており、設置方法もテレビの外形形状で決められているため、使用者が自由に設置方法を変更することはできないため不便であった。また固定された設置方法でありながらも画面角度を変更することは可能である場合もあるが、視聴角度を変更すると液晶画面の特性により画質が最適状態からずれてしまい通常より劣った画質で視聴することになってしまうため最適な画質でテレビ画面を視聴することができないなどの弊害があった。
【０００６】
本発明は液晶テレビの設置方法を可動式とすることにより使用者が任意に変更できることを可能とし、その設置状態を検出して記憶装置に記憶された設置状態による最適化された画質データによって画質制御を行って表示することにより、使用者が自由に設置方法および視聴角度を変更してもそれに応じた最適な画質でテレビ画面を視聴できる環境を提供することを目的とする。
【課題を解決するための手段】
【０００７】
上記課題を解決するために本発明（請求項１）に関わる液晶テレビジョン受像機は、可動式スタンドを有する液晶テレビジョン受像機であって、前記可動式スタンドの設置状態を検出する手段と、設置状態に応じた画質データを記憶する記憶手段と、前記検出手段が検出した前記検出状態に応じた画質データを前記記憶手段から取得し、取得した前記画質データに基づいて画質表示を行う表示制御手段を具備したものである。
【０００８】
また、本発明（請求項２）は可動式スタンドを有する液晶テレビジョン受像機における画質調整方法であって、前記可動式スタンドの設置状態を検出するステップと、設置状態に応じた画質データを記憶する記憶ステップと、前記検出ステップが検出した前記検出状態に応じた画質データを前記記憶ステップから取得し、取得した前記画質データに基づいて画質表示を行う表示制御ステップを具備するものである。
【発明の効果】
【０００９】
本発明の可動式スタンドを有する液晶テレビジョン受像機によれば、可動式スタンドにより液晶テレビの設置方法の変更を可能とし、その設置状態を検出して記憶装置に記憶されたその設置方法に最適な画質データを用いて液晶テレビ画面の画質制御を行い表示することができる構成としたことから、使用者が自由に液晶テレビの設置方法を変更することができるとともに、その設置した視聴角度に最適な画質でテレビ番組を視聴する環境を提供できる効果がある。
【発明を実施するための最良の形態】
【００１０】
以下、本発明を実施するための実施の形態を図１から図４を用いて説明する。なお本発明は実施の形態に何ら限定されるものではなく、要旨を逸脱しない範囲においては態様で実施され得る。
【００１１】
（実施の形態１）
図１は本実施の形態１における可動式スタンドを有する液晶テレビジョン受像機におけるハードウェア構成図である。図１において１１は回転や伸張などの可動する機構を有したテレビ本体の可動式スタンド部である。また、１２は１１の状態を検知する設置状態検出部である。１３は液晶テレビの状態制御を行うマイコンなどの制御部である。１４は画質の制御データを記憶するメモリーなどの書き換え可能な画質情報記憶部である。１５は液晶テレビの画質を制御するための制御部である。１６は液晶パネルなどの表示部である。
【００１２】
図２は図１で示した可動式スタンド部１１の一例を示したものである。図は左側を液晶テレビ画面側、右側をテレビ裏側となっている。図２において１１ａ液晶テレビ本体である。１１ｂはスタンド脚部である。１１ｃはスタンド脚部の回転軸である。
【００１３】
図３は実施の形態１の検出装置から得られるスタンド設置の状態を判断し、記憶装置の画質データとテレビ画面の画質を関連付ける制御部１３の詳細な構成を示す図である。
【００１４】
図３において１３ａは画質データを統合処理する情報制御部（以降ＣＰＵと記す）である。１３ｂはＣＰＵ１３ａに接続された各手段を制御するためのコンピュータープログラムが格納されたプログラムＲＯＭであり、１３ｃはＣＰＵ１３ａがデータの書き込み、読み出し、などの制御を行うために用いられる。１３ｃはＣＰＵ１３ａが画質データの情報を統合処理する際の情報を一時的にデータを格納するためのワークＲＡＭである。１３ｄは可動式スタンド部１１の設置状態を検出する検出部である。１３ｅは設置状態に適した画質制御用データを制御する制御部であり、１３ｆはテレビ画面の画質回路を制御する制御部である。１３ｇは液晶テレビ画面を表示する表示部１６を制御する制御部である。
【００１５】
図４は実施の形態１の取得した設置状態から最適な画質情報を得るための画質情報記憶部１４の詳細な構成を示す図である。図４において１４ａは設置状態検出情報であり、１４ｂは取得した設置状態と画質データを関連付ける画質データ制御部であり、１４ｃは画質データを記憶している記憶部であり、１４ｄは画面の視聴角度それぞれに応じた最適な画質データである。
【００１６】
次に本実施の形態１による可動式スタンドを有する液晶テレビジョン受像機の動作について説明する。
【００１７】
まず使用者の操作により可動式スタンド部１１が操作されてスタンド台１１ｂは可動軸１１ｃを起点に位置を回転させて設置状態を変化させる。その結果テレビ画面１１ａは使用者にとって画面の視聴角度が変化する。設置状態検出部１２はスタンド部１１により変化したテレビ画面の視聴角度を検出し制御部１３に入力する。制御部１３は得られたテレビ画面の視聴角度の変化量よりそれに適した画質データを画質情報記憶部１４より取得する。画質情報記憶部１４より得られた画質データを用いて画質制御部１５に対して通知を行いテレビ画面の画質を変化させ、表示部１６を用いてテレビ映像を出力する。
【００１８】
次に視聴角度の変化とテレビ画面の画質制御とを関連付けて処理を行う動作を図５を用いて詳述する。
【００１９】
使用者は可動式スタンド部１１を用いてテレビ画面の設置状態を自由に変化させる（ステップ５０１）。設置状態検出部１２は変化したテレビ画面の視聴角度を検出する。制御部１３は設置状態検出部１２によって得られた視聴角度の変化量をスタンド位置検出部１３ｄより得てワークＲＡＭ１３ｃに格納する（ステップ５０２）。ＣＰＵ１３ａは得られた視聴角度の変化より変化後の視聴角度に最適な画質データを選択する手段をプログラムＲＯＭ１３ｂから読み出してワークＲＡＭ１３ｃに格納する。ＣＰＵ１３ａは得られた視聴角度変化後に最適な画質データを画質情報制御部１３ｅを用いて画質情報記憶部１４より取得する。画質情報記憶部１４は設置状態検情報１４ａより画質データ制御部１４ｂが記憶部１４ｃより取得する。記憶部１４ｃは画面が取り得る視聴角度それぞれの場合に適した画質データ１４ｄから構成されており、画質データ制御部１４ｂは得られた設置状態に基づいてそれに応じた画質データを取得する。ＣＰＵ１３ａは得られた画質データを画質制御部１３ｆを用いて画質制御部１５に通知して画質の状態を変化させる（ステップ５０３）。ＣＰＵ１３ａは表示装置制御部１３ｆを用いて表示部１６によって調整した画質の映像を使用者に対して表示する（ステップ５０４）。
【００２０】
このような画質制御方法を用いることにより使用者はテレビ画面の設置状態を変化させても自動的に最適な画質でテレビ番組を視聴することが可能となる。
【００２１】
以上のように本発明の可動式スタンドを有する液晶テレビジョン受像機または受像方法によれば、使用者のテレビの設置環境に制限を与えること無く、自動的に設置された状態に最適な画質でテレビ番組を視聴する環境を提供することが可能となる。
【００２２】
なお、本実施の形態では回転軸を持つ可動スタンド台による形態を提示したが、これがその他の可動の形態であっても本発明の制御手段、方法によって容易に実施することができる。
【産業上の利用可能性】
【００２３】
本発明の可動式スタンドを有する液晶テレビジョン受像機は、使用者が自由に液晶テレビの設置方法を変更することができるとともに、その設置した視聴角度に最適な画質でテレビ番組を視聴することができ、全ての液晶テレビで有用である。
【図面の簡単な説明】
【００２４】
【図１】本発明の実施の形態１における可動式スタンドを有する液晶テレビジョン受像機のハードウェア構成を示す図
【図２】本発明の実施の形態１における可動式スタンドを示す図
【図３】本発明の実施の形態１における制御部の構成を示す図
【図４】本発明の実施の形態１における画質データ制御部の構成を示す図
【図５】本発明の実施の形態１における視聴角度の変化とテレビ画面の画質制御とを関連付けて処理を行う動作を示すフローチャート
【符号の説明】
【００２５】
１１    可動式スタンド部
１１ａ    テレビ本体
１１ｂ    スタンド脚部
１１ｃ    回転軸
１２    設置状態検出部
１３    制御部
１３ａ    ＣＰＵ
１３ｂ    プログラムＲＯＭ
１３ｃ    ワークＲＡＭ
１３ｄ    スタンド位置検出部
１３ｅ    記憶部制御部
１３ｆ    画質制御部
１３ｇ    表示装置制御部
１４    画質情報記憶部
１４ａ    設置状態検出情報
１４ｂ    画質データ制御部
１４ｃ    画質データ記憶部
１４ｄ    画質データ
１５    画質制御部
１６    表示部
【図１】
2005341105.tif 000003
【図２】
2005341105.tif 000004
【図３】
2005341105.tif 000005
【図４】
2005341105.tif 000006
【図５】
2005341105.tif 000007